(57)【要約】      （修正有）【課題】複数の電話機が外付けされる通信装置において、当該複数の電話機のそれぞれのフック状態を、より簡易な構成で判定する技術を提供する。【解決手段】ＦＡＸ装置１００（通信装置）において、電話機２と接続端子との間に抵抗４０１を接続し、当該抵抗についてショート状態と非ショート状態とを切り替え可能なショート回路４０２を設ける。ＳＯＣ１０１は、鳴動着信モードにおいて、ＳＤＡＡ１０４を用いて通信回線の回線電圧を検知する。ＳＯＣ１０１は、抵抗４０１についてショート回路４０２によりショート状態と非ショート状態との切り替えが行われた際にＳＤＡＡ１０４によって検知される電圧の変化に基づいて、電話機１及び２のうちでオフフックされた電話機を判定する。【選択図】図１
2019110463.tif 000002
【特許請求の範囲】
【請求項１】
複数の外付けの電話機を接続可能な通信装置であって、
通信回線に接続された接続部であって、前記通信装置に接続された複数の電話機が、前記接続部を介して前記通信回線に接続される、前記接続部と、
前記複数の電話機に含まれる第１及び第２電話機のうち、前記第２電話機と前記接続部との間に接続された抵抗と、
前記抵抗をショートしたショート状態と、前記抵抗をショートしていない非ショート状態とを切り替え可能なショート手段と、
前記接続部に対して前記複数の電話機と並列に接続されており、前記通信回線の回線電圧を検知する第１検知手段と、
前記抵抗について前記ショート手段により前記ショート状態と前記非ショート状態との切り替えが行われた際に前記第１検知手段によって検知される電圧の変化に基づいて、前記複数の電話機のうちでオフフックされた電話機を判定する第１判定手段と
を備えることを特徴とする通信装置。
【請求項２】
前記第１判定手段は、前記第１検知手段によって検知される電圧が変化しなかった場合には、前記第１電話機がオフフックされたと判定し、当該電圧が変化した場合には、前記第２電話機がオフフックされたと判定する
ことを特徴とする請求項１に記載の通信装置。
【請求項３】
前記接続部と前記複数の電話機との間に設けられ、前記複数の電話機を通信回線に接続した接続状態と、前記複数の電話機を前記通信回線から切断した切断状態とを切り替える切替手段を更に備え、
前記第１判定手段は、前記接続状態において、前記第１検知手段によって検知される電圧の変化に基づいて、前記複数の電話機のうちでオフフックされた電話機を判定する
ことを特徴とする請求項１又は２に記載の通信装置。
【請求項４】
絶縁素子を含み、前記絶縁素子の入力側に印加された直流電圧を交流電圧に変換して出力する第１変換手段と、
前記第１変換手段から出力された前記交流電圧を、前記切断状態において前記複数の電話機に印加される直流電圧に変換して出力する第２変換手段と、
前記絶縁素子の前記入力側の電圧を検知する第２検知手段と、
前記切断状態において、前記抵抗について前記ショート手段により前記ショート状態と前記非ショート状態との切り替えを行った際に前記第２検知手段によって検知される電圧の変化に基づいて、前記複数の電話機のうちでオフフックされた電話機を判定する第２判定手段と、
を更に備えることを特徴とする請求項３に記載の通信装置。
【請求項５】
前記第２判定手段は、前記第２検知手段によって検知される電圧が変化しなかった場合には、前記第１電話機がオフフックされたと判定し、当該電圧が変化した場合には、前記第２電話機がオフフックされたと判定する
ことを特徴とする請求項４に記載の通信装置。
【請求項６】
前記切断状態において前記電話機に印加される直流電圧の電圧レベルに対応する交流電圧を生成する生成手段と、
前記生成手段によって生成された交流電圧が一次側の第１巻線に入力されることによって二次側の第２巻線から交流電圧を出力する、トランスで構成された絶縁素子であって、前記第２巻線の出力電圧をモニタするための第３巻線を前記一次側に備える、前記絶縁素子と、
前記絶縁素子の前記第２巻線と前記電話機との間に設けられ、前記第２巻線から出力された交流電圧を、前記電話機に印加される直流電圧に変換する変換手段と、
前記切断状態において、前記抵抗について前記ショート手段により前記ショート状態と前記非ショート状態との切り替えを行った際に前記絶縁素子の前記第３巻線から出力される電圧の変化に基づいて、前記複数の電話機のうちでオフフックされた電話機を判定する第２判定手段と、
を更に備えることを特徴とする請求項３に記載の通信装置。
【請求項７】
前記絶縁素子の前記第３巻線は、前記第２巻線の出力電圧と同様に変化する電圧が発生するように構成される
ことを特徴とする請求項６に記載の通信装置。
【請求項８】
前記第２電話機と前記接続部との間に、第１抵抗と前記第１抵抗とは抵抗値が異なる第２抵抗とが直列に接続されており、
前記第１抵抗に対して第１ショート手段が設けられ、前記第２抵抗に対して第２ショート手段が設けられており、
前記接続状態では、前記第１抵抗について前記第１ショート手段による前記ショート状態と前記非ショート状態との切り替えが行われ、
前記切断状態では、前記第２抵抗について前記第２ショート手段による前記ショート状態と前記非ショート状態との切り替えが行われる
ことを特徴とする請求項３から７のいずれか１項に記載の通信装置。
【請求項９】
前記ショート手段は、前記抵抗の両端間に接続されたフォトＭＯＳリレーであり、
前記通信装置は、前記フォトＭＯＳリレーを駆動する駆動素子と、
前記駆動素子を制御することにより、前記抵抗について前記ショート手段による前記ショート状態と前記非ショート状態との切り替えを行う制御手段と、
を更に備えることを特徴とする請求項１から８のいずれか１項に記載の通信装置。
【請求項１０】
前記第１検知手段は、前記接続部に対して前記複数の電話機と並列に接続され、かつ、前記通信回線を介した通信を制御する網制御手段に含まれており、
前記ショート手段は、前記抵抗の両端間に接続されたＭＯＳ ＦＥＴであり、前記網制御手段によって駆動制御が行われる
ことを特徴とする請求項１から８のいずれか１項に記載の通信装置。
【請求項１１】
前記複数の電話機のうち、前記通信回線へ選択信号を送信する送信機能を有しない電話機がオフフックされたと判定された場合には、前記電話機がオフフック状態であることを前記通信装置の表示部に表示せず、前記送信機能を有する電話機がオフフックされたと判定された場合には、前記電話機がオフフック状態であることを前記表示部に表示する表示制御手段を更に備える
ことを特徴とする請求項１から１０のいずれか１項に記載の通信装置。
【請求項１２】
複数の外付けの電話機を接続可能な通信装置の制御方法であって、
前記通信装置は、通信回線に接続された接続部であって、前記通信装置に接続された複数の電話機が、前記接続部を介して前記通信回線に接続される、前記接続部と、前記複数の電話機に含まれる第１及び第２電話機のうち、前記第２電話機と前記接続部との間に接続された抵抗と、を備え、前記制御方法は、
前記抵抗をショートしたショート状態と、前記抵抗をショートしていない非ショート状態とを切り替える工程と、
前記接続部に対して前記複数の電話機と並列に接続された検知手段により、前記通信回線の回線電圧を検知する工程と、
前記抵抗について前記ショート状態と前記非ショート状態との切り替えを行った際に前記検知手段によって検知される電圧の変化に基づいて、前記複数の電話機のうちでオフフックされた電話機を判定する工程と
を含むことを特徴とする通信装置の制御方法。
【請求項１３】
請求項１２に記載の通信装置の制御方法の各工程をコンピュータに実行させるためのプログラム。
【発明の詳細な説明】
【技術分野】
【０００１】
本発明は、複数の外付けの電話機を接続可能な通信装置及びその制御方法、並びにプログラムに関するものである。
【背景技術】
【０００２】
複数の外付けの電話機を接続可能なファクシミリ装置等の通信装置では、それぞれの電話機のオフフックを検知できる必要がある。例えば、選択信号の送信機能を有する、通常の電話機と、当該送信機能を有しない、ハンドセット等の電話機とで、オフフックされた場合の通信装置の動作を変えるために、このようなオフフックの検知が行われる。特許文献１では、複数の電話機のそれぞれに対して設けられたフォトカプラを用いて、それぞれの電話機のオフフックを検知する技術が提案されている。
【先行技術文献】
【特許文献】
【０００３】
【特許文献１】特開２００７−１６６２３５号公報
【発明の概要】
【発明が解決しようとする課題】
【０００４】
しかし、上述の従来技術のように、フォトカプラ等の特定の部品を用いて電話機のオフフックを検知する場合、電話回線（通信回線）の規格を満たすために、特別な仕様の部品を使用する必要がある。この場合、部品の調達コストや、部品の製造期間が終了した場合の対処が問題となりうる。
【０００５】
このような絶縁と電話機のオフフックの検知のために、例えば、フォトカプラのような特定の回路素子が使用される。しかし、回路素子に対する要求条件に起因して、装置コストが上昇する場合がある。このため、通信回線側とコントローラ側との絶縁を実現しながら、より簡易な構成で電話機のフック状態を判定できることが望まれる。
【０００６】
本発明は、上述の問題に鑑みて成されたものである。本発明は、複数の電話機が外付けされる通信装置において、当該複数の電話機のそれぞれのフック状態を、より簡易な構成で判定する技術を提供することを目的とする。
【課題を解決するための手段】
【０００７】
本発明の一態様に係る通信装置は、複数の外付けの電話機を接続可能な通信装置であって、通信回線に接続された接続部であって、前記通信装置に接続された複数の電話機が、前記接続部を介して前記通信回線に接続される、前記接続部と、前記複数の電話機に含まれる第１及び第２電話機のうち、前記第２電話機と前記接続部との間に接続された抵抗と、前記抵抗をショートしたショート状態と、前記抵抗をショートしていない非ショート状態とを切り替え可能なショート手段と、前記接続部に対して前記複数の電話機と並列に接続されており、前記通信回線の回線電圧を検知する第１検知手段と、前記抵抗について前記ショート手段により前記ショート状態と前記非ショート状態との切り替えが行われた際に前記第１検知手段によって検知される電圧の変化に基づいて、前記複数の電話機のうちでオフフックされた電話機を判定する第１判定手段とを備えることを特徴とする。
【発明の効果】
【０００８】
本発明によれば、複数の電話機が外付けされる通信装置において、当該複数の電話機のそれぞれのフック状態を、より簡易な構成で判定することが可能になる。
【図面の簡単な説明】
【０００９】
【図１】ＦＡＸ装置１００の構成例を示すブロック図。
【図２】フック検知部３５０の構成の変形例を示すブロック図。
【図３】ＦＡＸ装置１００の動作モードごとに異なる抵抗を使用するためのＦＡＸ装置１００の一部の構成例を示すブロック図。
【図４】ショート回路の構成例を示す図。
【図５】電話機１及び２の構成例を示すブロック図。
【図６】ＦＡＸ装置１００におけるフック検知処理の手順を示すフローチャート。
【図７】ＦＡＸ装置１００における操作画面の例を示す図。
【図８】ＦＡＸ装置１００における操作画面の例を示す図。
【発明を実施するための形態】
【００１０】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１１】
［第１実施形態］
＜ＦＡＸ装置の構成＞
図１は、第１実施形態に係る通信装置であるファクシミリ（ＦＡＸ）装置１００全体の構成を示すブロック構成図である。ＦＡＸ装置１００は、複数の外付けの複数の電話機を接続可能な通信装置の一例である。本実施形態では、図１に示すように、２つの外付けの電話機１及び２が、モジュラーケーブルを介してＦＡＸ装置１００に接続される。ＦＡＸ装置１００は、ＦＡＸ装置１００と電話機１及び２とをそれぞれ接続するためのモジュラーケーブルが装着されるモジュラージャックコネクタＭＪ１及びＭＪ２を備える。ＦＡＸ装置１００は、通信回線１３０に接続された接続部として接続端子３５１を備える。ＦＡＸ装置１００に接続された複数の電話機（電話機１及び２）は、信号線Ｌ１及びＬ２を介して接続端子３５１に接続され、当該接続端子を介して外部の通信回線１３０に接続される。
【００１２】
後述するように、ＦＡＸ装置１００は、外付けされた電話機１及び２に対する動作モード（着信モード）として、「鳴動着信モード」及び「無鳴動着信モード」を有する。鳴動着信モードは、外部装置からの呼び出し信号（以下では「ＣＩ信号」と称する。）の着信時に電話機１及び２を鳴動させる動作モードであり、無鳴動着信モードは、外部装置からのＣＩ信号の着信時に電話機１及び２を鳴動させない動作モードである。なお、ＦＡＸ装置１００は、無鳴動着信モードにおいて、必要に応じて、スピーカ回路２５０から擬似的な電話機の鳴動音（擬似ベル音）を出力させることが可能である。
【００１３】
ＦＡＸ装置１００は、システム・オン・チップ（ＳＯＣ）１０１と、ＳＯＣ１０１に接続された、操作パネル１１８、読取部１２１、記録部１２２、インタフェース（ＩＦ）部１２３、メモリ１４０、及びスピーカ回路２５０とを備える。ＳＯＣ１０１にはＣＰＵ２００が実装されている。ＳＯＣ１０１（ＣＰＵ２００）は、ＦＡＸ装置１００のシステム全体を制御する。
【００１４】
メモリ１４０は、主記憶装置であり、ＳＯＣ１０１に含まれるＣＰＵ２００のシステムワークメモリ、及び後述する各種処理を実行するための制御プログラムを格納するメモリとして機能する。メモリ１４０は、ＦＡＸ送信又はＦＡＸ受信等の処理が行われる際に、画像データ又は各種情報を一時的に格納するとともに、ユーザによる設定情報を格納するメモリとしても機能する。
【００１５】
操作パネル１１８は、表示器（表示部）１１９及び入力器１２０を備え、これらはユーザ・インタフェースとして機能する。表示器１１９は、例えば、ＦＡＸ装置１００の状態を示す画面又はユーザによる操作が可能な操作画面を表示する。入力器１２０は、例えば、ボタン又はテンキー等のキーボード及び表示器１１９上に設けられたタッチパネルの少なくともいずれかで構成され、ユーザからの各種指示又は設定情報の入力を受け付けるために用いられる。
【００１６】
読取部１２１は、原稿の画像を読み取って画像データを生成する。読取部１２１によって生成された画像データは、ＦＡＸ送信の対象となる相手側装置（ＦＡＸ装置２２０）へ送信されてもよいし、記録部１２２によるシートへの画像の印刷に用いられてもよい。ＩＦ部１２３は、各種の情報機器が外部接続される場合のインタフェースとして機能する。スピーカ回路２５０は、公衆電話交換回線網（ＰＳＴＮ）２１０からＣＩ信号（呼び出し信号）が受信された際に、上述のように、疑似ベル音を出力するために使用可能である。
【００１７】
ＦＡＸ装置１００は、更に、モデム１０２、絶縁素子１０３、ＳＤＡＡ（シリコンＤＡＡ）１０４、ＣＩ検知回路１０８、Ｈリレー１１０、直流捕捉回路１５２、受信ＩＦ回路１５３、インピーダンス整合回路１５４、整流回路１５５、ノイズ除去回路１５６、及びフック検知部３５０を備える。本実施形態では、フック検知部３５０（オフフック検知回路）は、直流印加回路２５３、ＤＣ／ＡＣ変換回路２５４、整流／平滑回路２５６、及び平滑回路２６０で構成される。また、ＦＡＸ装置１００は、更に、Ｈリレー１１０とＭＪ２との間に設けられた抵抗（抵抗素子）４０１と、抵抗４０１の両端間に（抵抗４０１と並列に）接続されたショート回路４０２とを備える。これらのデバイスのうち、モデム１０２、ＣＩ検知回路１０８、フック検知部３５０、及びショート回路４０２は、ＳＯＣ１０１に接続されている。
【００１８】
モデム１０２は、ＳＯＣ１０１による制御に基づいて動作する変復調器である。モデム１０２は、読取部１２１によって生成され、かつ、ＦＡＸ送信の対象となる画像データを用いた、通信回線１３０を介して送信される信号の変調処理、及び通信回線１３０を介して受信された信号の復調処理を行う。モデム１０２は、ＲＯＭ２０３、ＲＡＭ２０４、ＤＳＰ２０５及びレジスタ２０６を含み、絶縁素子１０３を介してＳＤＡＡ１０４と接続されている。
【００１９】
ＲＯＭ２０３には、モデム１０２の動作を制御するための制御プログラムが予め格納される。ＤＳＰ２０５は、ＲＯＭ２０３に格納されたプログラムをＲＡＭ２０４に展開して実行することで、上述の処理を実行する。また、ＤＳＰ２０５は、ＳＯＣ１０１から転送されるＳＤＡＡプログラムをＲＡＭ２０４に展開して実行することによって、ＳＤＡＡ１０４の動作を制御する。レジスタ２０６には、ＳＤＡＡ１０４の状態を示す情報、及びＳＯＣ１０１からの指示が格納される。
【００２０】
ＳＤＡＡ１０４は、半導体ＮＣＵ（ネットワーク制御ユニット）であり、ＦＡＸ装置１００と外部の通信回線１３０との間のインタフェースとして機能する、通信回線１３０を介した通信（ＦＡＸ通信）を制御する網制御装置である。ＳＤＡＡ１０４は、信号線Ｌ１及びＬ２を介して接続端子３５１に接続され、当該接続端子を介して外部の通信回線１３０と接続される。ＳＤＡＡ１０４と接続端子３５１との間には、直流捕捉回路１５２、整流回路１５５及びノイズ除去回路１５６が直列に接続されている。また、直流捕捉回路１５２に対して並列に、受信ＩＦ回路１５３及びインピーダンス整合回路１５４が接続されている。ＳＤＡＡ１０４は、通信回線１３０を介して相手側装置（ＦＡＸ装置２２０）との間で通信を行う際に、回線の接続（捕捉）状態を制御する。
【００２１】
通信回線１３０には、ＦＡＸ装置１００に外付けされた電話機１及び２も接続される。電話機１及び２は、それぞれ、ＭＪ１及びＭＪ２を介してＨリレー１１０に接続され、更に、Ｈリレー１１０、ノイズ除去回路１５６、及び接続端子３５１を介して、通信回線１３０に接続される。このようにして、電話機１及び２は、ＦＡＸ装置１００を介して通信回線１３０に接続される。
【００２２】
ＳＤＡＡ１０４は、接続端子３５１に対して電話機１及び２と並列に接続されており、即ち、通信回線１３０に対して電話機１及び２と並列に接続されている。ＳＤＡＡ１０４は、ＦＡＸ通信を行う際に、回線捕捉を行ってＦＡＸ通信を制御するだけでなく、電話機１及び２が通信回線１３０を介して相手側装置と音声通信を行う際にも、回線の捕捉状態を制御する。ＳＤＡＡ１０４は、このような制御を、ＳＯＣ１０１による制御に従って実行する。
【００２３】
ＳＤＡＡ１０４は、回線捕捉部１０５、ＣＩ検知部１０８、電圧検知部１５０、電流検知部１５１、ＡＣフィルタ部２０１、及び選択信号発生部２０２を含む。ＳＤＡＡ１０４は、回線捕捉部１０５を使用して、回線の直流捕捉状態を制御する。この回線捕捉部１０５によって直流捕捉が行われる場合の直流インピーダンスは可変である。このインピーダンスは、予め設定された直流電圧に対する電流特性（ＤＣ−ＶＩ特性）を用いた制御により得ることが可能であってもよい。
【００２４】
電圧検知部１５０は、通信回線１３０上の電圧（回線電圧）をモニタし、電流検知部１５１は、通信回線１３０を流れる電流をモニタする。ＡＣフィルタ部２０１は、電圧検知部１５０又は電流検知部１５１の前段に接続されており、電圧検知部１５０又は電流検知部１５１により検知される電圧又は電流に対して交流（ＡＣ）成分のフィルタリングを行う。これにより、電圧検知部１５０又は電流検知部１５１により直流（ＤＣ）電圧又は電流の検知が行われる場合に、ＡＣ成分による誤検知を防いでいる。選択信号発生部２０２は、選択信号であるＤＴＭＦ（Dual Tone Multi Frequency）信号又はＤＰ（Dial Pulse）信号を発生させ、通信回線１３０へ送信する。
【００２５】
直流捕捉回路１５２は、トランジスタ等の回路素子で構成される、ＳＤＡＡ１０４の周辺回路であり、直流捕捉を行いながら、ＳＤＡＡによる制御に従って直流インピーダンスの調整を行う。直流捕捉回路１５２は、回線解放状態を作り出すためにも使用され、また、回線に対する選択信号の１種であるダイヤルパルスの送信にも使用される。信号線２３０には、ＰＳＴＮ２１０からＳＤＡＡ１０４へ流れ込む電流が流れる。信号線２４０には、ＳＤＡＡ１０４からＰＳＴＮ２１０へ帰還する電流が流れる。ＳＤＡＡ１０４は、信号線２３０又は信号線２４０の電流値と、信号線２３０と信号線２４０と間の電圧値を、電圧検知部１５０及び電流検知部１５１により検知可能である。
【００２６】
整流回路１５５は、ダイオードブリッジ等の回路素子で構成され、通信回線１３０から受信した信号を整流し、整流後の信号をＳＤＡＡ１０４側へ出力する。受信ＩＦ回路１５３は、通信回線１３０を介してＦＡＸ信号等の信号を受信するためのインタフェース回路である。インピーダンス整合回路１５４は、通信中の交流インピーダンスを合わせるための回路であり、例えば、日本の場合、交流インピーダンスを６００［Ω］に合わせる。ノイズ除去回路１５６は、通信回線１３０からの雷サージや電磁ノイズ等のノイズを抑制するとともに、ＦＡＸ装置１００から通信回線１３０へノイズが出力されることを抑制するための回路である。
【００２７】
ＣＩ検知回路１０８は、接続端子３５１を介して通信回線１３０に接続されており、通信回線１３０を介して受信されるＣＩ信号を検知する。ＣＩ検知回路１０８は、通信回線１３０を介して受信されるＣＩ信号を検知すると、ＣＩ信号を受信したことを示すＣＩ検知信号１０９をＳＯＣ１０１へ送信する。ＳＯＣ１０１は、ＣＩ検知信号１０９に基づいて、ＰＳＴＮ２１０から通信回線１３０を介してＣＩ信号の着信があったか否かを判定できる。ＣＩ検知回路１０８は、高電圧で駆動されるＰＳＴＮ２１０側と、低電圧で駆動されるＳＯＣ１０１側との間の絶縁のための絶縁素子を備えている。
【００２８】
Ｈリレー１１０は、切替手段の一例であり、電話機１及び２を通信回線１３０に接続した接続状態と、電話機１及び２を通信回線１３０から切断した切断状態（通信回線１３０に接続しない非接続状態）との間の切り替えを行う。ＳＯＣ１０１は、ＦＡＸ装置１００の動作モード（着信モード）に基づいて、Ｈリレー駆動信号２５１を用いてＨリレー１１０を制御する。
【００２９】
図１において実線で示すように、Ｈリレー１１０内で、接点１１１ａと接点１１１ｂとが接続され、接点１１２ａと接点１１２ｂとが接続された場合、電話機１及び２は通信回線１３０に接続されている状態にある。一方、図１において点線で示すように、Ｈリレー１１０内で、接点１１１ａと接点１１１ｃとが接続され、接点１１２ａと接点１１２ｃとが接続された場合、電話機１及び２は通信回線１３０に接続されていない（通信回線１３０から切断された）状態にある。この場合、電話機１及び２は、Ｈリレー１１０を介してフック検知部３５０（整流／平滑回路２５６）に接続される。
【００３０】
このように、Ｈリレー１１０は、ＳＯＣ１０１からのＨリレー駆動信号２５１に従って、電話機１及び２を、通信回線１３０とフック検知部３５０（整流／平滑回路２５６）とのいずれかに接続する。なお、Ｈリレー１１０によって電話機１及び２が通信回線１３０に接続されていない場合、ＰＳＴＮ２１０からＣＩ信号の着信があっても、当該ＣＩ信号は電話機１及び２へ到達せず、電話機１及び２が鳴動しない。即ち、ＦＡＸ装置１００は、無鳴動着信状態となる。
【００３１】
本実施形態では、鳴動着信モードにおいては、電話機１及び２のフック検知（オンフック又はオフフックの検知）は、後述するように、ＳＤＡＡ１０４及びモデム１０２によって行われる。一方、無鳴動着信モードにおいては、電話機１及び２のフック検知は、後述するように、フック検知信号２５７に基づいて、ＳＯＣ１０１によって行われる。
【００３２】
＜鳴動着信モードにおけるフック検知＞
ＦＡＸ装置１００が鳴動着信モードである場合、ＳＯＣ１０１からのＨリレー駆動信号２５１によって、Ｈリレー１１０内で、接点１１１ａと接点１１１ｂとが接続され、接点１１２ａと接点１１２ｂとが接続される。これにより、電話機１及び２は、接続端子３５１を介して通信回線１３０に接続された接続状態となる。この状態において、ＰＳＴＮ２１０から通信回線１３０を介してＣＩ信号の着信があると、当該ＣＩ信号が電話機１及び２に到達して電話機１及び２が鳴動する。
【００３３】
鳴動着信モードにおいて、電話機１及び２のフック検知（オンフック又はオフフックの検知）はＳＤＡＡ１０４及びモデム１０２によって行われ、その検知結果がＳＯＣ１０１へ伝達される。具体的には、鳴動着信モードでは、ＰＳＴＮ２１０から供給される回線電圧（直流電圧）がＨリレー１１０を介して電話機１及び２に印加される。電話機１又は２においてオフフックが行われると、電話機１又は２に電流が流れることによって当該電話機において電圧降下が生じる。この電圧降下をＳＤＡＡ１０４（電圧検知部１５０）が検知することで、ＳＤＡＡ１０４が電話機１及び２のオフフックを検知する。
【００３４】
本実施形態のＦＡＸ装置１００では、複数の電話機（電話機１及び２）のうちでオフフックされた電話機の判定を可能にするために、抵抗４０１及びショート回路４０２が設けられている。抵抗４０１は、電話機１及び２のうち、電話機２と接続端子３５１との間に接続されている。電話機１と接続端子３５１との間には、このような抵抗を設ける必要はない。また、３つ以上の電話機がＦＡＸ装置１００に接続される場合には、電話機２に対する抵抗４０１及びショート回路４０２と同様に、電話機１以外の電話機に対して抵抗及びショート回路が設けられる。
【００３５】
ショート回路４０２は、抵抗４０１をショートしたショート状態と、当該抵抗４０１をショートしていない非ショート状態とを切り替え可能である。本実施形態では、ＳＯＣ１０１が、制御信号４１１を用いてショート回路４０２を制御することにより、抵抗４０１についてショート回路４０２によるショート状態と非ショート状態との切り替えを行う。なお、ＳＯＣ１０１に代えて、ＳＤＡＡ１０４が、（図１において点線で示す）制御信号４１２を用いてショート回路４０２を制御してもよい。
【００３６】
鳴動着信モードでは、ＳＤＡＡ１０４は、抵抗４０１についてショート回路４０２によりショート状態と非ショート状態との切り替えが行われた際に電圧検知部１５０によって検知される電圧の変化に基づいて、オフフックされた電話機を判定する。
【００３７】
具体的には、抵抗４０１と接続された電話機２がオフフックされた場合には、抵抗４０１のショート状態と非ショート状態との切り替えにより、電圧検知部１５０によって検知される電圧に変化が生じる。一方、電話機１がオフフックされた場合には、抵抗４０１のショート状態と非ショート状態との切り替えにより、電圧検知部１５０によって検知される電圧に変化は生じない。このため、本実施形態では、ＳＤＡＡ１０４（及びモデム１０２）は、ショート回路４０２による切り替えが行われた際に電圧検知部１５０によって検知される電圧が変化しなかった場合には、電話機１がオフフックされたと判定する。また、ＳＤＡＡ１０４（及びモデム１０２）は、ショート回路４０２による切り替えが行われた際に電圧検知部１５０によって検知される電圧が変化した場合には、電話機２がオフフックされたと判定する。
【００３８】
このように、鳴動着信モードで動作中のＦＡＸ装置１００において、フォトカプラ等の特定の回路素子を必要とせずに、簡易な構成で電話機１及び２のそれぞれのフック状態を判定することが可能である。
【００３９】
＜無鳴動着信モードにおけるフック検知＞
ＦＡＸ装置１００が無鳴動着信モードである場合、ＳＯＣ１０１からのＨリレー駆動信号２５１によって、Ｈリレー１１０内で、接点１１１ａと接点１１１ｃとが接続され、接点１１２ａと接点１１２ｃとが接続される。これにより、電話機１及び２は、通信回線１３０に接続されていない（通信回線１３０から切断された）切断状態となる（整流／平滑回路２５６に接続された状態となる）。この状態において、ＰＳＴＮ２１０から通信回線１３０を介してＣＩ信号の着信があっても、当該ＣＩ信号が電話機１及び２へ到達せず、電話機１及び２は鳴動しない。
【００４０】
無鳴動着信モードにおいて、電話機１及び２のフック検知（オンフック又はオフフックの検知）はフック検知部３５０によって行われ、その検知結果がフック検知信号２５７としてＳＯＣ１０１へ伝達される。ＳＯＣ１０１は、フック検知部３５０から出力されるフック検知信号２５７に基づいて、電話機１及び２のフック状態（オンフック状態であるかオフフック状態であるか）を判定する。
【００４１】
本実施形態では、フック検知部３５０による電話機１及び２のフック検知を可能にするために、直流印加回路２５３から、ＤＣ／変換回路２５４、整流／平滑回路２５６及びＨリレー１１０を介して電話機１及び２に対して直流電圧が印加される。直流印加回路２５３は、直流電圧をＤＣ／ＡＣ変換回路２５４へ出力（印加）する。直流印加回路２５３は、ＳＯＣ１０１からの制御信号２５２（ＯＮ／ＯＦＦ信号）に従って、ＤＣ／ＡＣ変換回路２５４への直流電圧の印加状態をＯＮ状態とＯＦＦ状態との間で切り替える。
【００４２】
ＤＣ／ＡＣ変換回路２５４は、高電圧で駆動されるＰＳＴＮ２１０側と、低電圧で駆動されるＳＯＣ１０１側との間の絶縁のための絶縁素子２５５を備えている。ＤＣ／ＡＣ変換回路２５４は、直流印加回路２５３から絶縁素子２５５の入力側に印加された直流電圧を交流電圧に変換して整流／平滑回路２５６へ出力する。
【００４３】
整流／平滑回路２５６は、ＤＣ／ＡＣ変換回路２５４から出力された交流電圧を、通信回線１３０に対して切断状態にある電話機１及び２に印加される直流電圧に変換する。整流／平滑回路２５６による変換後の直流電圧は、Ｈリレー１１０を介して電話機１及び２へ印加される。このように、ＤＣ／ＡＣ変換回路２５４及び整流／平滑回路２５６は、ＳＯＣ１０１側とＰＳＴＮ２１０側との間の絶縁を絶縁素子２５５によって実現しながら、直流印加回路２５３から電話機１及び２への直流電圧の印加を可能にしている。
【００４４】
フック検知部３５０は、電話機１及び２のフック検知（オンフック又はオフフックの検知）を行い、その検知結果をフック検知信号２５７としてＳＯＣ１０１へ出力する。本実施形態では、フック検知信号２５７は、平滑回路２６０からＳＯＣ１０１へ出力される。フック検知信号２５７は、電話機１及び２がＨリレー１１０を介して整流／平滑回路２５６と接続されて直流電圧が印加されている場合に、電話機１及び２のフック状態（オンフック状態であるかオフフック状態であるか）に応じて変化するアナログ信号である。電話機１及び２がオンフック状態である場合には、電話機１及び２のインピーダンスが高くなる。電話機１及び２がオフフック状態である場合には、電話機１及び２のインピーダンスが低くなる。このようなインピーダンスの変化に応じて、フック検知信号２５７が変化する。
【００４５】
平滑回路２６０は、ＤＣ／ＡＣ変換回路２５４の絶縁素子２５５の入力側の電圧（信号２５９）を検知し、その検知結果をフック検知信号２５７としてＳＯＣ１０１へ出力する。具体的には、平滑回路２６０は、絶縁素子２５５の入力側の信号２５９に重畳した交流信号を除去し、当該信号２５９を直流信号に変換してフック検知信号２５７としてＳＯＣ１０１へ出力する。なお、ＳＯＣ１０１は、アナログ信号であるフック検知信号２５７をデジタル値に変換するためのＡ／Ｄ変換器を有している。ＳＯＣ１０１は、無鳴動着信モードにおいて、フック検知部３５０から出力されるフック検知信号２５７に基づいて、電話機１及び２のフック状態を判定する。
【００４６】
本実施形態では、更に、ＳＯＣ１０１は、無鳴動着信モードにおいて、複数の電話機（電話機１及び２）のうちでオフフックされた電話機の判定を行う。ＳＯＣ１０１は、抵抗４０１についてショート回路４０２によりショート状態と非ショート状態との切り替えが行われた際に平滑回路２６０によって検知される、絶縁素子２５５の入力側の電圧の変化に基づいて、オフフックされた電話機を判定する。具体的には、ＳＯＣ１０１は、鳴動着信モードの場合と同様に、ショート回路４０２による切り替えが行われた際に検知される電圧が変化しなかった場合には、電話機１がオフフックされたと判定する。また、ＳＯＣ１０１は、ショート回路４０２による切り替えが行われた際に検知される電圧が変化した場合には、電話機２がオフフックされたと判定する。
【００４７】
このように、無鳴動着信モードで動作中のＦＡＸ装置１００においても、フォトカプラ等の特定の回路素子を必要とせずに、簡易な構成で電話機１及び２のそれぞれのフック状態を判定することが可能である。
【００４８】
＜電話機１及び２の構成＞
次に、図５を参照して、本実施形態で使用される電話機の例について説明する。本実施形態では、電話機１として、通信回線へ選択信号を送信する送信機能を有する電話機を使用し、電話機２として、通信回線へ選択信号を送信する送信機能を有しない電話機を使用する例について説明する。電話機１及び２は、ＦＡＸ装置１００を介して（信号線Ｌ１及びＬ２を介して）通信回線１３０に直接接続可能である。
【００４９】
図５（Ａ）は、通信回線へ選択信号を送信する送信機能を有する外付けの電話機のハードウェア構成例を示すブロック図であり、本実施形態では電話機２に対応する。電話機２は、フックスイッチ５０１、呼出信号検出回路５０２、整流回路５０３、圧電ブザー５０４、回線開閉器５０５、通信網回路５０６、スピーカ５０７、マイク５０８、選択信号発生回路５０９、及びテンキー５１０を備える。
【００５０】
フックスイッチ５０１は、電話機２がオンフック状態である場合には、信号線Ｌ１と呼出信号検出回路５０２とを接続し、電話機２がオフフック状態である場合には、信号線Ｌ１と整流回路５０３とを接続するよう、接続の切り替えを行う。オンフック状態において、呼出信号検出回路５０２は、通信回線１３０からの呼び出し信号を検出し、当該呼び出し信号を検出すると、圧電ブザー５０４によってベル音を発生させることで、ユーザに着呼を知らせる。整流回路５０３は、通信回線１３０からの電圧を整流し、通信網回路５０６を動作させる。通信網回路５０６は、通信回線１３０を介して受信した信号に基づいて、スピーカ５０７から音声を出力させ、マイク５０８から入力された音声に対応する信号を、通信回線１３０へ送信する。
【００５１】
選択信号発生回路５０９は、テンキー５１０を用いたユーザの入力に応じて、通信回線１３０へ選択信号を送信する。選択信号には、通信回線（電話回線）に応じて、ＤＴＭＦ（Dual Tone Multi Frequency）方式又はＤＰ（Dial Pulse）方式の信号が用いられる。ＤＴＭＦ方式は、プッシュボタン方式とも呼ばれ、電話回線に２つの周波数の交流信号を送信する。ＤＰ方式では、回線開閉器５０５を用いて、電話回線の解放と捕捉を行うことによってパルス信号を作り出し、当該パルス信号を電話回線へ送信する。
【００５２】
図５（Ｂ）は、通信回線へ選択信号を送信する送信機能を有しない外付けの電話機のハードウェア構成例を示すブロック図であり、本実施形態では電話機１に対応する。図５（Ｂ）に示すように、電話機１は、回線開閉器５０５、選択信号発生回路５０９、及びテンキー５１０を備えていない点を除き、電話機２と同様の構成を有する。電話機１は、オプションの電話機として、ＦＡＸ装置１００とともにユーザに提供されうる。
【００５３】
＜ショート回路４０２の構成＞
図４（Ａ）は、ショート回路４０２の構成例を示す回路図である。図４（Ａ）に示すように、ショート回路４０２は、抵抗４０１の両端間に接続されたフォトＭＯＳリレー４１０と、当該フォトＭＯＳリレーを駆動するデジタルトランジスタ（駆動素子）４２０とで構成することが可能である。ＳＯＣ１０１は、制御信号４１１を用いてデジタルトランジスタ４２０を制御することにより、フォトＭＯＳリレー４１０を駆動する。フォトＭＯＳリレー４１０に含まれるＭＯＳ ＦＥＴのオン／オフにより、抵抗４０１がショート状態と非ショート状態との間で切り替わる。フォトＭＯＳリレー４１０では、
【００５４】
このように、ショート回路４０２に、ＭＯＳ ＦＥＴ及びＬＥＤを含むフォトＭＯＳリレー４１０を使用した場合、ＭＯＳ ＦＥＴとＬＥＤとの間が絶縁されているため、ＬＥＤ側には大電流の回線電流が流れることはない。このため、ＬＥＤの高効率化及び小電流化が進んだ場合でも、小電力化されたＬＥＤで構成されたフォトＭＯＳリレーを使用し続けることが可能である。これは、製品の安定供給という点でユーザに利益をもたらしうる。
【００５５】
＜処理手順＞
次に、図６のフローチャートを参照して、ＦＡＸ装置１００においてＳＯＣ１０１によって実行される、電話機１及び２のフック状態を検知するフック検知処理の手順の例について説明する。なお、図６の各ステップの処理は、例えば、ＳＯＣ１０１がメモリ１４０に格納された制御プログラムを実行することによってＦＡＸ装置１００において実現される。以下の処理手順は、ＦＡＸ装置１００がスタンバイ状態にある場合等の、電話機１及び２のオフフックの検知が必要な場合に実行される。
【００５６】
まずＳ６０１で、ＳＯＣ１０１は、制御信号４１１を用いて、ショート回路４０２をオン状態（ショート状態）にする。 これにより、抵抗４０１がショート回路４０２によってショートされる。次にＳ６０２で、ＳＯＣ１０１は、ＦＡＸ装置１００の動作モードが鳴動着信モードであるか否かを判定する。ＳＯＣ１０１は、動作モードが鳴動着信モードである場合にはＳ６０３へ処理を進め、動作モードが鳴動着信モードではない（無鳴動着信モードである）場合には、処理をＳ６１４へ進める。
【００５７】
（鳴動着信モードにおける処理）
ＦＡＸ装置１００の動作モードが鳴動着信モードである場合、Ｓ６０３で、ＳＯＣ１０１は、Ｈリレー１１０により、電話機１及び２を通信回線１３０に接続する。その後、ＳＯＣ１０１は、Ｓ６０４で、モデム１０２を用いた回線電圧の検知を開始し、Ｓ６０５で、当該検知した回線電圧が、電話機１又は２がオフフックされたと判定するための、所定の閾値以下となったか否かを判定する。ＳＯＣ１０１は、回線電圧が閾値以下でなければ、Ｓ６０７で、電話機１及び２はオンフック状態であると判定し、Ｓ６０５の判定処理を繰り返す。ＳＯＣ１０１は、回線電圧が閾値以下になると、Ｓ６０６で、電話機１又は２がオフフック状態であると判定し、Ｓ６０８へ処理を進める。
【００５８】
Ｓ６０８で、ＳＯＣ１０１は、制御信号４１１を用いて、ショート回路４０２をオフ状態（非ショート状態）にする。これにより、抵抗４０１が電話機２及び通信回線１３０に接続された状態になる。その後、ＳＯＣ１０１は、Ｓ６０９で、モデム１０２を用いたオフフック電圧の検知を開始し、Ｓ６１０で、当該検知した電圧が、抵抗４０１の接続により変化（上昇）したか否かを判定する。ＳＯＣ１０１は、検知した電圧が、抵抗４０１の接続により上昇していない（変化していない）場合、Ｓ６１１で、（抵抗４０１と接続されてない）電話機１がオフフックされたと判定する。一方、ＳＯＣ１０１は、検知した電圧が、抵抗４０１の接続により上昇した場合、Ｓ６１２で、抵抗４０１に対応付けられた電話機２がオフフックされたと判定する。
【００５９】
Ｓ６１１又はＳ６１２の判定の後、ＳＯＣ１０１は、Ｓ６１３で、再び制御信号４１１を用いて、ショート回路４０２をオン状態（ショート状態）にする。これにより、抵抗４０１がショート回路４０２によってショートされる。
【００６０】
（無鳴動着信モードにおける処理）
ＦＡＸ装置１００の動作モードが無鳴動着信モードである場合、Ｓ６１４で、ＳＯＣ１０１は、Ｈリレー１１０により、電話機１及び２を通信回線１３０から切断し、整流／平滑回路２５６（フック検知部３５０）へ接続する。その後、ＳＯＣ１０１は、フック検知信号２５７に基づいて、直流印加回路２５３（フック検知部３５０）を用いた電圧の検知を開始し、当該検知した電圧が所定の閾値以下となったか否かを判定する。ＳＯＣ１０１は、検知した電圧が閾値以下でなければ、Ｓ６１８で、電話機１及び２はオンフック状態であると判定し、Ｓ６１６の判定処理を繰り返す。ＳＯＣ１０１は、検知した電圧が閾値以下になると、Ｓ６１７で、電話機１又は２がオフフック状態であると判定し、Ｓ６１９へ処理を進める。
【００６１】
Ｓ６１９で、ＳＯＣ１０１は、制御信号４１１を用いて、ショート回路４０２をオフ状態（非ショート状態）にする。これにより、抵抗４０１が電話機２及びフック検知部３５０に接続された状態になる。その後、ＳＯＣ１０１は、Ｓ６２０で、フック検知信号２５７に基づいて検知した電圧が、抵抗４０１の接続により変化（上昇）したか否かを判定する。ＳＯＣ１０１は、検知した電圧が、抵抗４０１の接続により上昇していない（変化していない）場合、Ｓ６２１で、（抵抗４０１と接続されてない）電話機１がオフフックされたと判定する。一方、ＳＯＣ１０１は、検知した電圧が、抵抗４０１の接続により上昇した場合、Ｓ６２２で、抵抗４０１に対応付けられた電話機２がオフフックされたと判定する。
【００６２】
Ｓ６２１又はＳ６２２の判定の後、ＳＯＣ１０１は、Ｓ６１３で、再び制御信号４１１を用いて、ショート回路４０２をオン状態（ショート状態）にする。これにより、抵抗４０１がショート回路４０２によってショートされる。
【００６３】
＜オフフック検知に基づく表示制御例＞
ＦＡＸ装置１００（ＳＯＣ１０１）は、Ｓ６１１、Ｓ６１２、Ｓ６２１又はＳ６２２におけるオフフック検知の結果に基づいて、表示器１１９における操作画面の表示を制御してもよい。具体的には、ＳＯＣ１０１は、通信回線１３０へ選択信号を送信する送信機能を有しない電話機１のオフフックを検知した場合と、当該送信機能を有する電話機２のオフフックを検知した場合とで、異なる表示制御を行ってもよい。
【００６４】
図７及び図８は、表示器１１９に表示される操作画面の例を示す図である。ＳＯＣ１０１は、ＦＡＸ装置１００がスタンバイ状態である間に、図７（Ａ）に示す、メインメニューの操作画面７００を表示器１１９に表示する。操作画面７００には、ＦＡＸ装置１００が有する各機能を選択するためのボタンが含まれる。ＳＯＣ１０１は、操作画面７００の表示中に、電話機２がオフフックされたことを検知した場合には、図７（Ｂ）に示すように、電話機がオフフック状態であることを示すメッセージ７０２を、操作画面７００上に表示する。
【００６５】
ここで、電話機２は、選択信号の送信機能を有しており、選択信号発生回路５０９により発生させた選択信号を通信回線１３０上へ送信することにより、相手側電話機との通話が可能となる。電話機２は、ＦＡＸ装置１００とは独立して動作しているため、電話機２による通話の開始により、通信回線１３０が電話機２によって占有される。このような場合に、ユーザは、メッセージ７０２の表示により、通信回線１３０が電話機２によって使われており、電話機２による通信回線１３０の使用が完了するまでＦＡＸ通信を行えないことを知ることが可能である。
【００６６】
一方、ＳＯＣ１０１は、操作画面７００の表示中に、電話機１がオフフックされたことを検知した場合には、メッセージ７０２を操作画面７００上に表示しない。これは、電話機１が選択信号の送信機能を有しないため、電話機１が相手側電話機に発呼することがなく、ユーザの知らぬ間に電話機１によって通信回線１３０が占有されることがないためである。
【００６７】
また、ＳＯＣ１０１は、ＦＡＸ装置１００がスタンバイ状態である間に、操作画面７００のボタン７０１が押下されると（ＦＡＸ機能が選択されると）、表示器１１９の表示を、図８（Ａ）の操作画面８００に切り替える。ＳＯＣ１０１は、入力器１２０として設けられたテンキーを用いて入力されたダイヤル番号を、入力欄８０１に表示する。ＳＯＣ１０１は、入力されたダイヤル番号を、ＦＡＸ送信予約のための電話番号と認識する。
【００６８】
ＳＯＣ１０１は、操作画面８００の表示中に、電話機２がオフフックされたことを検知した場合には、図８（Ｂ）に示すように、電話機がオフフック状態であることを示すメッセージ８０２を、操作画面８００上に表示する。これにより、図７（Ｂ）と同様、ユーザは、メッセージ７０２の表示により、通信回線１３０が電話機２によって使われており、電話機２による通信回線１３０の使用が完了するまでＦＡＸ通信を行えないことを知ることが可能である。
【００６９】
一方、ＳＯＣ１０１は、操作画面８００の表示中に、電話機１がオフフックされたことを検知した場合には、表示器１１９の表示を、図８（Ｃ）の操作画面８１０に切り替える。操作画面８１０では、入力器１２０として設けられたテンキーを用いて、電話機１の通話相手の電話機に対応するダイヤル番号を入力可能である。ＳＯＣ１０１は、入力されたダイヤル番号に基づいて、ＳＤＡＡ１０４の選択信号発生部２０２によって選択信号を発生させ、当該選択信号を通信回線１３０へ送信させる。このようにして、ＳＯＣは、選択信号の送信機能を有していない電話機１の代わりに、選択信号の送信処理を行う。
【００７０】
以上説明したように、本実施形態のＦＡＸ装置１００では、電話機１及び２のうち、電話機２と接続端子３５１との間に抵抗４０１を接続し、当該抵抗についてショート状態と非ショート状態とを切り替え可能なショート回路４０２を設ける。ＳＯＣ１０１は、鳴動着信モードでは、接続端子３５１に対して電話機１及び２と並列に接続されたＳＳＤＡ１０４を用いて、通信回線１３０の回線電圧を検知する。また、ＳＯＣ１０１は、無鳴動着信モードでは、フック検知部３５０を用いて、絶縁素子２５５の入力側の電圧を検知する。更に、ＳＯＣ１０１は、抵抗４０１についてショート回路４０２によりショート状態と非ショート状態との切り替えが行われた際に検知される電圧の変化に基づいて、複数の電話機のうちでオフフックされた電話機を判定する。本実施形態によれば、フォトカプラ等の特定の回路素子を必要とせずに、複数の電話機（電話機１及び２）のうちでオフフックされた電話機を識別することが可能になる。
【００７１】
なお、３つ以上の電話機がＦＡＸ装置１００に接続される場合には、電話機１以外の電話機に対して抵抗及びショート回路が設けられる。ＳＯＣ１０１は、電話機１以外の各電話機に対応するショート回路について、順次、ショート状態と非ショート状態との切り替えが行われた際の検知電圧に基づいて、各電話機がオフフックされたか否かを判定する。このように、本実施形態によれば、ＦＡＸ装置１００に接続される電話機の数よりも１少ない数の抵抗及びショート回路を設ければよいため（即ち、電話機１に対しては抵抗及びショート回路を設ける必要がないため）、装置コストを低減できる。
【００７２】
［第２実施形態］
第２実施形態では、フック検知部３５０の構成として第１実施形態とは異なる構成を採用する例について説明する。以下では、第１実施形態と共通する部分についての説明を省略し、第１実施形態との相違点について説明する。
【００７３】
図２は、本実施形態に係るフック検知部３５０の構成例を示すブロック図である。本実施形態では、図１のＦＡＸ装置１００において、フック検知部３５０の構成として、図１に示す構成に代えて図２に示す構成が用いられる。
【００７４】
フック検知部３５０は、直流印加回路２５３、ＤＣ／ＡＣ変換回路２５４、整流／平滑回路２５６、電源回路２６１、スイッチ回路２６２、電源回路２６１、スイッチ回路２６２、フック検知回路３０８、及び電源回路３２８を備える。ＤＣ／ＡＣ変換回路２５４は、トランジスタ３００、制御ＩＣ３０１、電圧レベルシフト回路３０２、平滑回路３０３、整流回路３０４、及び絶縁素子２５５を備える。絶縁素子２５５は、高電圧で駆動されるＰＳＴＮ２１０側と、低電圧で駆動されるＳＯＣ１０１側との間の絶縁のために設けられている。
【００７５】
トランジスタ３００は、スイッチング素子として機能するスイッチングトランジスタである。本実施形態のトランジスタ３００は、Ｈリレー１１０によって電話機１及び２が通信回線１３０から切断された切断状態において電話機１及び２に印加される電圧レベルに対応する交流電圧を生成する。具体的には、トランジスタ３００は、後述するスイッチング動作により、直流印加回路２５３から印加された直流電圧３２０から交流電圧３２１を生成（交流電圧３２１へ変換）する。トランジスタ３００によって生成された交流電圧は、絶縁素子２５５の入力巻線３０６へ入力される。
【００７６】
本実施形態では、絶縁素子２５５は、一次側の入力巻線３０６（第１巻線）と二次側の出力巻線３０７（第２巻線）とを備えるトランスで構成されている。絶縁素子２５５は、トランジスタ３００によって生成された交流電圧３２１が入力巻線３０６に入力（印加）されることによって出力巻線３０７から交流電圧を出力する。整流／平滑回路２５６は、絶縁素子２５５の出力巻線３０７と電話機１及び２との間に設けられ、出力巻線３０７から出力された交流電圧を、電話機１及び２に印加される直流電圧に変換する。整流／平滑回路２５６による変換後の直流電圧は、Ｈリレー１１０を介して電話機１及び２へ印加される。このように、ＤＣ／ＡＣ変換回路２５４及び整流／平滑回路２５６は、ＳＯＣ１０１側とＰＳＴＮ２１０側との間の絶縁を絶縁素子２５５によって実現しながら、直流印加回路２５３から電話機１及び２への直流電圧の印加を可能にしている。
【００７７】
本実施形態において、絶縁素子２５５は、入力巻線３０６に加えて、出力巻線３０７かの出力電圧をモニタするためのモニタ巻線３０５を一次側に更に備えている。モニタ巻線３０５は、絶縁素子２５５の二次側の出力巻線３０７に生じる電圧と同様に変化する電圧が発生するように構成される。モニタ巻線３０５から出力された電圧は、ＤＣ／ＡＣ変換回路２５４内の整流回路３０４へ入力されるとともに、信号線３２２を介してフック検知回路３０８へ入力される。信号線３２２は、モニタ巻線３０５とフック検知回路３０８（の整流回路３１１）とを接続している。
【００７８】
ＤＣ／ＡＣ変換回路２５４内で、整流回路３０４は、モニタ巻線３０５から出力される電圧を整流する。平滑回路３０３は、整流回路３０４から出力される電圧を平滑化する。電圧レベルシフト回路３０２は、平滑回路３０３から出力される電圧を、制御ＩＣ３０１に適した電圧にシフトさせる。これにより、ＤＣ／ＡＣ変換回路２５４から整流／平滑回路２５６を介して電話機１及び２へ印加される直流電圧に対応する電圧が生成され、制御ＩＣ３０１へ入力される。
【００７９】
制御ＩＣ３０１は、電圧レベルシフト回路３０２から出力される直流電圧（電話機１及び２へ印加される直流電圧に対応する電圧）に基づいて、トランジスタ３００用の制御信号を生成し、トランジスタ３００へ出力する。トランジスタ３００は、制御ＩＣ３０１から出力される制御信号に従って、直流印加回路２５３と絶縁素子２５５（入力巻線３０６）との間の導通状態をＯＮ状態とＯＦＦ状態との間で切り替えるスイッチングを行う。これにより、トランジスタ３００は、直流印加回路２５３から出力される直流電圧３２０を交流電圧３２１に変換可能である。
【００８０】
フック検知回路３０８は、フィルタ回路３０９、電圧レベルシフト回路３１０、及び整流回路３１１を備え、モニタ巻線３０５の出力電圧を用いて、電話機１及び２のフック検知を行う。
【００８１】
整流回路３１１は、モニタ巻線３０５から出力され、かつ、信号線３２２を介して入力された電圧を整流する。電圧レベルシフト回路３１０は、整流回路３１１から出力された電圧を、ＳＯＣ１０１に適した電圧にシフトさせる。なお、フック検知回路３０８の出力電圧は、電源回路３２８からフック検知回路３０８へ供給される電力（直流電圧）によって定められる。フィルタ回路３０９は、電圧レベルシフト回路３１０から出力された信号（電圧）に対して、高周波成分を除去するためのフィルタ処理（ローパスフィルタリング）を行う。フィルタ回路３０９は、フィルタ処理後の電圧を、フック検知信号２５７としてＳＯＣ１０１へ出力する。
【００８２】
ＳＯＣ１０１は、無鳴動着信モードにおいて、フック検知部３５０から出力されるフック検知信号２５７に基づいて、電話機１及び２のフック状態を判定する。ＳＯＣ１０１は、例えば、モニタ巻線３０５から交流電圧が出力される際の、当該交流電圧の出力の継続時間に基づいて、電話機１及び２のフック状態（オンフック状態であるかオフフック状態であるか）を判定する。あるいは、ＳＯＣ１０１は、モニタ巻線３０５から交流電圧が出力される際の、当該交流電圧が出力されている時間と出力されていない時間との比率に基づいて、電話機１及び２のフック状態を判定する。
【００８３】
また、ＳＯＣ１０１は、電圧レベルシフト回路３１０の出力電圧を、信号２５８としてモニタすることが可能である。ＳＯＣ１０１は、信号２５８に含まれる交流パルスをカウントすることによって、トランジスタ３００によるＯＮ／ＯＦＦ状態のスイッチングが継続して（連続して）行われた回数を測定できる。ＳＯＣ１０１は、このスイッチング動作が継続して実行される回数に基づいて、電話機１及び２のフック状態を判定することも可能である。
【００８４】
本実施形態では、更に、ＳＯＣ１０１は、無鳴動着信モードにおいて、複数の電話機（電話機１及び２）のうちでオフフックされた電話機の判定を行う。ＳＯＣ１０１は、抵抗４０１についてショート回路４０２によりショート状態と非ショート状態との切り替えが行われた際に絶縁素子２５５のモニタ巻線３０５から出力される電圧の変化に基づいて、オフフックされた電話機を判定する。
【００８５】
これにより、第１実施形態と同様、無鳴動着信モードにおいても、フォトカプラを用いずに、複数の電話機（電話機１及び２）のうちでオフフックされた電話機を識別することが可能になる。また、より低いコストでＦＡＸ装置１００をユーザに提供することが可能になる。
【００８６】
［第３実施形態］
第３実施形態では、ＦＡＸ装置１００に外付けされた電話機２に対して、ＦＡＸ装置１００におけるそれぞれ異なる動作モードに対応する複数の抵抗を設け、動作モードごとに異なる抵抗を使用して、オフフックの検知を行う例について説明する。以下では、第１実施形態と共通する部分についての説明を省略し、第１実施形態との相違点について説明する。
【００８７】
第１実施形態のＦＡＸ装置１００に設けられる抵抗４０１について、ＦＡＸ装置１００の動作モードごとに適切な抵抗値が異なりうる。これは、動作モードごとに電圧源が異なることに起因する。無鳴動着信モードでは、省エネ等のため、電話機への印加電圧が低電圧（約２４Ｖ）に抑えられているのに対し、鳴動着信モードでは、高電圧（約４８Ｖ）の回線電圧が電話機に印加される。また、上記の点は、オフフック検知用の入力電圧が、直流印加回路２５３側のオフフック検知回路とＳＤＡＡ／モデムとで異なることによる影響にも起因する。即ち、ＳＤＡＡ／モデムは、最大で約４８Ｖの回線電圧について検知を行うのに対し、直流印加回路２５３側のオフフック検知回路は、約３．３Ｖ程度の低電圧について検知を行う。更に、上記の点は、ＳＤＡＡ／モデムと直流印加回路２５３側のオフフック検知との間の検知精度の相違、及び電話回線（通信回線１３０）に接続される端末の規格の影響にも起因しうる。とりわけ、鳴動着信モードでは、抵抗４０１は通信回線１３０に接続されるため、通信回線１３０の規格を満たす必要がある。
【００８８】
図３は、本実施形態に係る、ＦＡＸ装置１００の動作モードごとに異なる抵抗を使用するためのＦＡＸ装置１００の一部の構成例を示すブロック図である。図３に示すように、本実施形態のＦＡＸ装置１００では、電話機２が接続されるＭＪ２とＨリレー１１０との間に（電話機２と接続端子３５１との間に）、抵抗４０１ａ，４０１ｂが直列に接続される。抵抗４０１ｂは、抵抗４０１ａとは異なる抵抗値を有している。また、抵抗４０１ａにはショート回路４０２ａが設けられ、抵抗４０１ｂにはショート回路４０２ｂが設けられる。
【００８９】
電話機１及び２が通信回線１３０に接続された接続状態となる鳴動着信モードでは、抵抗４０１ａについてショート回路４０２ａによるショート状態と非ショート状態との切り替えが行われる。ショート回路４０２ａは、制御信号４１１ａを用いてＳＯＣ１０１によって制御される。抵抗４０１ａには、鳴動着信モードに適した抵抗値を有する抵抗素子が使用される。なお、鳴動着信モードでは、抵抗４０１ｂはショート状態に維持される。
【００９０】
また、電話機１及び２が通信回線１３０から切断された切断状態となる無鳴動着信モードでは、抵抗４０１ｂについてショート回路４０２ｂによるショート状態と非ショート状態との切り替えが行われる。ショート回路４０２ｂは、制御信号４１１ｂを用いてＳＯＣ１０１によって制御される。抵抗４０１ｂには、無鳴動着信モードに適した抵抗値を有する抵抗素子が使用される。なお、鳴動着信モードでは、抵抗４０１ａはショート状態に維持される。
【００９１】
本実施形態のＦＡＸ装置１００では、第１実施形態と同様、図６の処理手順に従ってフック検知処理を行うことが可能である。ただし、ＳＯＣ１０１は、Ｓ６０１において、制御信号４１１ａ及び４１１ｂを用いて、ショート回路４０２ａ及び４０２ｂをオン状態（ショート状態）にする。また、鳴動着信モードでは、ＳＯＣ１０１は、Ｓ６０８においてショート回路４０２ａをオフ状態に切り替え、Ｓ６１３において、ショート回路４０２ａをオン状態に切り替える。一方、無鳴動着信モードでは、ＳＯＣ１０１は、Ｓ６１９において、ショート回路４０２ｂをオフ状態に切り替え、Ｓ６１３において、ショート回路４０２ｂをオン状態に切り替える。
【００９２】
本実施形態では、無鳴動着信モードと鳴動着信モードとで、それぞれの動作モードに適した抵抗値を有する抵抗を使用可能にする。これにより、オフフックされた電話機の判定を、より高い信頼度で実現することが可能になる。
【００９３】
［第４実施形態］
第４実施形態では、ショート回路４０２の構成として第１実施形態とは異なる構成を採用する例について説明する。以下では、第１実施形態と共通する部分についての説明を省略し、第１実施形態との相違点について説明する。
【００９４】
図４（Ｂ）は、本実施形態のショート回路４０２の構成例を示す回路図である。図４（Ｂ）に示すように、本例では、ショート回路４０２は、抵抗４０１の両端間に接続されたＭＯＳ ＦＥＴで構成される。ショート回路４０２を構成するＭＯＳ ＦＥＴは、図１において点線で示すように、ＳＤＡＡ１０４によって制御信号４１２を用いた駆動制御が行われることで、オン／オフが行われる。ＭＯＳ ＦＥＴのオン／オフにより、抵抗４０１がショート状態と非ショート状態との間で切り替わる。
【００９５】
本実施形態では、ショート回路４０２は、通信回線１３０に対して一次側に設けられているＳＤＡＡ１０４によって制御される。このため、図４（Ａ）のフォトＭＯＳリレーのような絶縁が不要となる。このように、ショート回路４０２に、フォトＭＯＳリレーではなく、一般的に使用されているＭＯＳ ＦＥＴを使用可能にすることにより、更なる低コスト化の実現につながる。
【００９６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９７】
１００：ＦＡＸ装置、１０１：ＳＯＣ、１０２：モデム、１０３：絶縁素子、１０４：ＳＤＡＡ、１１０：Ｈリレー、２５３：直流印加回路、３５０：フック検知部、４０１：抵抗、４０２：ショート回路
【図１】
2019110463.tif 000003
【図２】
2019110463.tif 000004
【図３】
2019110463.tif 000005
【図４】
2019110463.tif 000006
【図５】
2019110463.tif 000007
【図６】
2019110463.tif 000008
【図７】
2019110463.tif 000009
【図８】
2019110463.tif 000010